(57)【要約】【課題】感光体および前記感光体に接触するベルト部材の結露状況に応じて無駄のない除湿処理を実行すること。【解決手段】除湿装置４８ａ，１０３は、感光体４１およびベルト部材４４ａを除湿する。一対の電極部材４４ｂａ、４４ｆは、前記ベルト部材４４ａに沿って並んで配置され、前記ベルト部材４４ａの内側面および外側面の一方に接触する導電性の部材である。通電回路４０１ａは、前記一対の電極部材４４ｂａ、４４ｆに一定電圧または一定電流を供給する。検出回路４０１ｂは、一定電圧を出力する前記通電回路４０１ａに流れる電流または一定電流を出力する前記通電回路４０１ａに生じる電圧を検出する。制御装置は、前記検出回路４０１ｂの検出結果に応じて、シートに画像を形成するプリント処理が実行される前における前記除湿装置４８ａ，１０３の動作を制御する。【選択図】図６
2019184837.tif 000002
【特許請求の範囲】
【請求項１】
トナー像を担持して回転する少なくとも１つの感光体と、
それぞれ回転可能に支持された複数の支えローラーと、
前記複数の支えローラーに張り渡され、外側面が前記感光体に接触する状態で回転するベルト部材と、
前記感光体および前記ベルト部材を除湿する除湿装置と、
前記ベルト部材に沿って並んで配置され、前記ベルト部材の内側面および外側面の一方に接触する導電性の一対の電極部材と、
前記一対の電極部材に一定電圧または一定電流を供給する通電回路と、
一定電圧を出力する前記通電回路に流れる電流または一定電流を出力する前記通電回路に生じる電圧を検出する検出回路と、
前記検出回路の検出結果に応じて、シートに画像を形成するプリント処理が実行される前における前記除湿装置の動作を制御する制御装置と、を備える画像形成装置。
【請求項２】
前記一対の電極部材が前記ベルト部材の内側面に接触している場合において、前記ベルト部材の外側面に接触する導電性の部材のうち少なくとも前記一対の電極部材に最も近い位置に配置されている外側最寄り部材と前記ベルト部材とを離隔させる離隔装置をさらに備え、
前記制御装置は、前記離隔装置によって前記外側最寄り部材と前記ベルト部材とが離隔されているときの前記検出回路の検出結果に応じて、前記除湿装置の動作時間を制御する、請求項１に記載の画像形成装置。
【請求項３】
前記複数の支えローラーは、
複数の前記感光体に対して前記ベルト部材を介して対向し、前記感光体上の前記トナー像を前記ベルト部材の外側面に転写させる複数のベルト転写ローラーと、
前記ベルト部材における前記複数のベルト転写ローラーに沿う部分の移動方向である転写部移動方向の最下流側に配置され、前記ベルト部材上の前記トナー像をシートへ転写させるシート転写ローラーに対して前記ベルト部材を介して対向する最下流ローラーと、
前記転写部移動方向の最上流側に配置された最上流ローラーと、
前記複数のベルト転写ローラーのうち前記転写部移動方向の最下流側の１つである最下流ベルト転写ローラーと前記最下流ローラーとの間に配置された下流補助ローラーと、
前記最上流ローラーと前記複数のベルト転写ローラーのうち前記転写部移動方向の最上流側の１つである最上流ベルト転写ローラーとの間に配置された上流補助ローラーと、を含み、
前記最下流ローラーおよび前記下流補助ローラーの対と、前記最上流ローラーおよび前記上流補助ローラーの対と、前記最下流ベルト転写ローラーおよび前記下流補助ローラーの対と、前記最上流ベルト転写ローラーおよび前記上流補助ローラーの対と、のうちのいずれかが前記一対の電極部材を兼ねる、請求項２に記載の画像形成装置。
【請求項４】
前記ベルト部材の外側面からトナーを除去するベルトクリーニング部材をさらに備え、
前記ベルトクリーニング部材が前記一対の電極部材の一方を兼ねる、請求項１に記載の画像形成装置。
【請求項５】
前記感光体および前記ベルト部材を除湿する処理が行われているときに、前記制御装置は、駆動機構を通じて前記ベルト部材を回転させる、請求項１から請求項４のいずれか１項に記載の画像形成装置。
【請求項６】
前記除湿装置は、
ヒーターと、
前記画像形成装置の内部で空気を循環させる循環ファンと、を含む、請求項１から請求項５のいずれか１項に記載の画像形成装置。
【請求項７】
前記感光体および前記ベルト部材を除湿する処理が行われる場合に、前記画像形成装置の内部と外部とに連通する換気口を塞ぐシャッター装置をさらに備える、請求項６に記載の画像形成装置。
【発明の詳細な説明】
【技術分野】
【０００１】
本発明は、感光体およびベルト部材を除湿する機能を有する画像形成装置に関する。
【背景技術】
【０００２】
電子写真方式の画像形成装置において、現像バイアス電圧などの現像パラメーターが、設置環境の湿度に応じて調節される場合がある。
【０００３】
また、前記画像形成装置が、像担持体上へベルト転写されたトナー像を記録媒体上へ２次転写する２次転写ローラーを備える場合に、前記２次転写ローラーに印加される電圧の検出値に応じて、前記２次転写ローラーへの供給電流を変更することが知られている（例えば、特許文献１参照）。
【先行技術文献】
【特許文献】
【０００４】
【特許文献１】特開２００７−２９８５６１号公報
【発明の概要】
【発明が解決しようとする課題】
【０００５】
ところで、前記画像形成装置において、感光体または前記感光体と接触するベルト部材の表面が結露している状態でプリント処理が行われると、出力画像に乱れが生じる。そのため、適切な画像品質を確保するために、装置が起動してから前記プリント処理が開始するまでに、前記感光体および前記ベルト部材に対する除湿処理を十分に行うことが重要である。
【０００６】
一方、前記感光体または前記ベルト部材が結露している場合に対応した前記除湿処理が常に行われると、前記感光体および前記ベルト部材が結露していない場合に、無駄なエネルギーおよび時間が前記除湿処理に費やされてしまう。
【０００７】
本発明の目的は、感光体および前記感光体に接触するベルト部材の結露状況に応じて無駄のない除湿処理を実行可能な画像形成装置を提供することにある。
【課題を解決するための手段】
【０００８】
本発明の一の局面に係る画像形成装置は、少なくとも１つの感光体と、複数の支えローラーと、ベルト部材と、除湿装置と、一対の電極部材と、通電回路と、検出回路と、制御装置と、を備える。前記感光体は、トナー像を担持して回転する。前記複数の支えローラーは、それぞれ回転可能に支持されている。前記ベルト部材は、前記複数の支えローラーに張り渡され、外側面が前記感光体に接触する状態で回転する。前記除湿装置は、前記感光体および前記ベルト部材を除湿する。前記一対の電極部材は、前記ベルト部材に沿って並んで配置され、前記ベルト部材の内側面および外側面の一方に接触する導電性の部材である。前記通電回路は、前記一対の電極部材に一定電圧または一定電流を供給する。前記検出回路は、一定電圧を出力する前記通電回路に流れる電流または一定電流を出力する前記通電回路に生じる電圧を検出する。前記制御装置は、前記検出回路の検出結果に応じて、シートに画像を形成するプリント処理が実行される前における前記除湿装置の動作を制御する。
【発明の効果】
【０００９】
本発明によれば、感光体および前記感光体に接触するベルト部材の結露状況に応じて無駄のない除湿処理を実行可能な画像形成装置を提供することが可能になる。
【図面の簡単な説明】
【００１０】
【図１】図１は、第１実施形態に係る画像形成装置の構成図である。
【図２】図２は、第１実施形態に係る画像形成装置における制御装置のブロック図である。
【図３】図３は、第１実施形態に係る画像形成装置における転写ユニットの斜視図である。
【図４】図４は、第１実施形態に係る画像形成装置におけるカラー転写状態の転写ユニットおよびその周辺装置の構成図である。
【図５】図５は、第１実施形態に係る画像形成装置におけるモノクロ転写状態の転写ユニットおよびその周辺装置の構成図である。
【図６】図６は、第１実施形態に係る画像形成装置における退避状態の転写ユニットおよびその周辺装置の構成図である。
【図７】図７は、第２実施形態に係る画像形成装置における退避状態の転写ユニットおよびその周辺装置の構成図である。
【図８】図８は、第３実施形態に係る画像形成装置における退避状態の転写ユニットおよびその周辺装置の構成図である。
【図９】図９は、第４実施形態に係る画像形成装置における退避状態の転写ユニットおよびその周辺装置の構成図である。
【図１０】図１０は、第５実施形態に係る画像形成装置における退避状態の転写ユニットおよびその周辺装置の構成図である。
【発明を実施するための形態】
【００１１】
以下、図面を参照しながら、本発明の実施形態について説明する。なお、以下の実施形態は、本発明を具体化した一例であって、本発明の技術的範囲を限定するものではない。
【００１２】
［第１実施形態］
第１実施形態に係る画像形成装置１０は、シートに画像を形成するプリント処理を実行する装置である。前記シートは、紙または封筒などのシート状の画像形成媒体である。
【００１３】
図１に示されるように、画像形成装置１０は、本体１内にシート供給機構２、シート搬送機構３、画像形成部４０、ベルト移動装置５および制御装置８などを備える。
【００１４】
画像形成部４０は、電子写真方式で前記プリント処理を実行する装置である。画像形成部４０は、作像装置４、光走査装置４６、転写装置４４および定着装置４８を含む。
【００１５】
作像装置４は、ドラム状の感光体４１、帯電装置４２、現像装置４３および感光体クリーニング装置４５などを備える。
【００１６】
図１に示される画像形成装置１０は、タンデム式の画像形成部４０を有するカラー画像形成装置である。そのため、画像形成部４０は、シアン、マゼンタ、イエローおよびブラックの４色のトナーに対応した４つの作像装置４を備える。即ち、４つの作像装置４は、それぞれ異なる色のトナーに対応する感光体４１および現像装置４３を含む。
【００１７】
さらに、転写装置４４が、転写ユニット４４Ｘおよびシート転写ローラー４４Ｙを備える。転写ユニット４４Ｘは、無端の中間転写ベルト４４ａと、４つの作像装置４に対応する４つのベルト転写ローラー４４ｂと、下流支持ローラー４４ｃと、上流支持ローラー４４ｄと、下流補助ローラー４４ｅと、上流補助ローラー４４ｆと、ベルトクリーニング装置４７とを備える。
【００１８】
図３に示されるように、転写ユニット４４Ｘは、転写フレーム４４ｇを備える。転写フレーム４４ｇは、下流支持ローラー４４ｃ、上流支持ローラー４４ｄおよびベルトクリーニング装置４７を支持する部材である。
【００１９】
下流支持ローラー４４ｃは、予め定められた主方向Ｄ０に沿う状態で一定の位置で回転可能に支持されている。上流支持ローラー４４ｄ、下流補助ローラー４４ｅおよび上流補助ローラー４４ｆは、それぞれ下流支持ローラー４４ｃと平行に回転可能に支持されている。主方向Ｄ０は、感光体４１、下流支持ローラー４４ｃ、上流支持ローラー４４ｄ、下流補助ローラー４４ｅおよび上流補助ローラー４４ｆの長手方向である。
【００２０】
４つのベルト転写ローラー４４ｂおよび下流支持ローラー４４ｃは、転写モーター４００を駆動源とする駆動機構によって回転駆動される。
【００２１】
中間転写ベルト４４ａは、下流支持ローラー４４ｃ、上流支持ローラー４４ｄ、４つのベルト転写ローラー４４ｂ、下流補助ローラー４４ｅおよび上流補助ローラー４４ｆに張り渡されている。
【００２２】
即ち、下流支持ローラー４４ｃ、上流支持ローラー４４ｄ、４つのベルト転写ローラー４４ｂ、下流補助ローラー４４ｅおよび上流補助ローラー４４ｆは、中間転写ベルト４４ａの内側面に接触している。
【００２３】
中間転写ベルト４４ａは、下流支持ローラー４４ｃの回転に連動して回転する。上流支持ローラー４４ｄ、下流補助ローラー４４ｅおよび上流補助ローラー４４ｆは、下流支持ローラー４４ｃおよび中間転写ベルト４４ａの回転に連動して回転する。
【００２４】
中間転写ベルト４４ａは、その外側面が４つの感光体４１に接触する状態で回転する。中間転写ベルト４４ａは、無端のゴム部材である。なお、中間転写ベルト４４ａは、ベルト部材の一例である。
【００２５】
４つの感光体４１および４つのベルト転写ローラー４４ｂは、中間転写ベルト４４ａの一部に沿って配列されている。本実施形態において、４つの感光体４１は、中間転写ベルト４４ａの下面を成す部分に沿って配列されている。
【００２６】
４つのベルト転写ローラー４４ｂは、４つの感光体４１に対して中間転写ベルト４４ａを介して対向している。４つのベルト転写ローラー４４ｂは、それぞれ対応する感光体４１上の前記トナー像を中間転写ベルト４４ａの外側面に転写させる。
【００２７】
以下、中間転写ベルト４４ａにおける４つの感光体４１および４つのベルト転写ローラー４４ｂが沿う部分が移動する方向のことを第１方向Ｄ１と称する。第１方向Ｄ１に対して反対の方向のことを第２方向Ｄ２と称する。なお、第１方向Ｄ１は、転写部移動方向に相当する。
【００２８】
主方向Ｄ０は、いわゆる主走査方向であり、第１方向Ｄ１および第２方向Ｄ２に沿う方向は、いわゆる副走査方向である。第１方向Ｄ１および第２方向Ｄ２は、主方向Ｄ０に直交し、主方向Ｄ０、第１方向Ｄ１および第２方向Ｄ２は、鉛直方向Ｄ３に直交する。
【００２９】
なお、下流支持ローラー４４ｃ、上流支持ローラー４４ｄ、４つのベルト転写ローラー４４ｂ、下流補助ローラー４４ｅおよび上流補助ローラー４４ｆは、それぞれ回転可能に支持された支えローラーの一例である。
【００３０】
また、下流支持ローラー４４ｃは、複数の前記支えローラーのうち、第１方向Ｄ１の最下流側に配置された最下流ローラーの一例である。下流支持ローラー４４ｃは、中間転写ベルト４４ａ上の前記トナー像を前記シートへ転写させるシート転写ローラー４４Ｙに対して中間転写ベルト４４ａを介して対向している。
【００３１】
また、上流支持ローラー４４ｄは、複数の前記支えローラーのうち、第１方向Ｄ１の最上流側に配置された最上流ローラーの一例である。
【００３２】
シート供給機構２は、前記シートを搬送路３０へ送り出す。シート搬送機構３は、前記シートを搬送路３０に沿って搬送する。
【００３３】
感光体４１は、筒状の有機感光体またはアモルファスシリコン感光体などである。感光体４１は導電性の部材である。
【００３４】
帯電装置４２は、既定方向へ回転する感光体４１の表面を一様に帯電させる。光走査装置４６は、感光体４１の表面に静電潜像を書き込む。
【００３５】
現像装置４３は、電圧出力装置４０１から現像バイアス電圧が印加されることにより、感光体４１の表面の前記静電潜像をトナー像へ現像する。これにより、感光体４１は、回転しつつ外周面に前記トナー像を担持する。感光体４１は、像担持体の一例である。
【００３６】
中間転写ベルト４４ａは、下流支持ローラー４４ｃの回転に応じて回転するときに４つの感光体４１から前記シートへのトナー像の転写を中継する。
【００３７】
ベルト転写ローラー４４ｂは、電圧出力装置４０１からベルト転写電圧が印加される導電性の部材である（図１参照）。前記ベルト転写電圧は、ベルト転写ローラー４４ｂとこれに対向する感光体４１との間のバイアス電圧である。
【００３８】
例えば、前記ベルト転写電圧は、前記トナーの帯電極性と逆の極性の直流電圧の成分と交流電圧の成分とを含む。電圧出力装置４０１は、４つのベルト転写ローラー４４ｂへ個別に前記ベルト転写電圧を出力するベルト転写電圧出力回路を含む。
【００３９】
ベルト転写ローラー４４ｂは、前記ベルト転写電圧が印加されることにより、感光体４１上の前記トナー像を中間転写ベルト４４ａの外側面に転写させる。これにより、４色の前記トナー像が、カラー画像として中間転写ベルト４４ａの外側面に重なって形成される。
【００４０】
感光体クリーニング装置４５は、感光体４１表面に残存するトナーを除去する。シート転写ローラー４４Ｙは、シート転写電圧が印加されることにより、中間転写ベルト４４ａ上の前記トナー像を、搬送路３０に沿って搬送されている前記シートに転写させる。
【００４１】
例えば、前記シート転写電圧は、前記トナーの帯電極性と逆の極性の直流電圧の成分と交流電圧の成分とを含む。前記シート転写電圧は、シート転写ローラー４４Ｙとこれに対向する下流支持ローラー４４ｃとの間のバイアス電圧である。
【００４２】
定着装置４８は、定着ヒーター４８ａを備える。定着装置４８は、前記シートに転写された前記トナー像を定着ヒーター４８ａによって加熱しつつ加圧することにより、前記シートに前記トナー像を定着させる。
【００４３】
ベルトクリーニング装置４７は、中間転写ベルト４４ａに残存するトナーを除去する。本実施形態において、ベルトクリーニング装置４７は、ケーシング４７ａ、ベルトクリーニング部材４７ｂ、トナー回収部材４７ｃおよびクリーニングブレード４７ｄなどを備える。
【００４４】
ベルトクリーニング部材４７ｂは、中間転写ベルト４４ａの外側面に接触する導電性の部材である。ベルトクリーニング部材４７ｂは、中間転写ベルト４４ａの外側面からトナーを除去する。例えば、ベルトクリーニング部材４７ｂは、トナーの帯電極性と逆の極性の電圧が印加された導電性の回転ブラシである。この場合、ベルトクリーニング部材４７ｂは、中間転写ベルト４４ａの外側面に付着したトナーを吸着する。
【００４５】
図１に示される例において、ベルトクリーニング部材４７ｂは、下流支持ローラー４４ｃに対して中間転写ベルト４４ａを介して対向する位置において、回転可能に支持されている。
【００４６】
トナー回収部材４７ｃは、ベルトクリーニング部材４７ｂと接触し、ベルトクリーニング部材４７ｂからトナーを回収する。クリーニングブレード４７ｄは、トナー回収部材４７ｃからトナーを擦り取る。中間転写ベルト４４ａから除去されたトナーは、ケーシング４７ａ内に収容される。
【００４７】
ベルトクリーニング部材４７ｂおよびトナー回収部材４７ｃは、転写モーター４００を駆動源とする駆動機構によって回転駆動される。
【００４８】
以下の説明において、４つの感光体４１のうち第１方向Ｄ１の最も上流側に位置するものを最上流感光体４１ａと称し、４つの感光体４１のうち第１方向Ｄ１の最も下流側に位置するものを最下流感光体４１ｂと称する（図４〜６参照）。
【００４９】
同様に、４つのベルト転写ローラー４４ｂのうち、第１方向Ｄ１の最も上流側に位置するものを最上流ベルト転写ローラー４４ｂａと称し、４つのベルト転写ローラー４４ｂのうち、第１方向Ｄ１の最も下流側に位置するものを最下流ベルト転写ローラー４４ｂｂと称する（図４〜６参照）。
【００５０】
図４〜６に示されるように、下流補助ローラー４４ｅは、最下流ベルト転写ローラー４４ｂｂと下流支持ローラー４４ｃとの間に配置されている。上流補助ローラー４４ｆは、上流支持ローラー４４ｄと最上流ベルト転写ローラー４４ｂａとの間に配置されている。
【００５１】
最下流感光体４１ｂおよび最下流ベルト転写ローラー４４ｂｂは、ブラックのトナー像の形成に用いられる。一方、最上流感光体４１ａおよび最上流ベルト転写ローラー４４ｂａは、イエロー、シアンまたはマゼンタのトナー像の形成に用いられる。
【００５２】
ベルト移動装置５は、転写ユニット４４Ｘを移動させることにより、４つの感光体４１と中間転写ベルト４４ａとを離隔させる装置である。ベルト移動装置５は、制御装置８からの指令に従って、転写ユニット４４Ｘを予め定められた３つの状態のいずれかに保持する。
【００５３】
前記３つの状態は、図４に示されるカラー転写状態、図５に示されるモノクロ転写状態および図６に示される退避状態である。
【００５４】
前記カラー転写状態は、中間転写ベルト４４ａが、４つの感光体４１の全てと接触する状態である（図４参照）。前記カラー転写状態において、中間転写ベルト４４ａは、シート転写ローラー４４Ｙとも接触している。
【００５５】
制御装置８は、前記シートにカラー画像を形成するカラープリント処理を画像形成部４０に実行させるときに、ベルト移動装置５に対し、転写ユニット４４Ｘを前記カラー転写状態に保持させる指令を出力する。
【００５６】
前記モノクロ転写状態は、中間転写ベルト４４ａが、最下流感光体４１ｂと接触し、最上流感光体４１ａを含む残りの３つの感光体４１と離隔する状態である（図５参照）。前記モノクロ転写状態において、中間転写ベルト４４ａは、シート転写ローラー４４Ｙとも接触している。
【００５７】
制御装置８は、前記シートにモノクロ画像を形成するモノクロプリント処理を画像形成部４０に実行させるときに、ベルト移動装置５に対し、転写ユニット４４Ｘを前記モノクロ転写状態に保持させる指令を出力する。
【００５８】
前記退避状態は、中間転写ベルト４４ａが、４つの感光体４１の全てと離隔した状態である（図６参照）。前記退避状態において、中間転写ベルト４４ａは、シート転写ローラー４４Ｙとも離隔している。
【００５９】
例えば、制御装置８は、不図示の操作装置に対して予め定められたメンテナンスモード移行操作が行われたときに、ベルト移動装置５に対し、転写ユニット４４Ｘを前記退避状態に保持させる指令を出力する。
【００６０】
感光体４１を含むユニットが交換される場合などに、前記操作装置に対する前記メンテナンスモード移行操作が行われる。
【００６１】
図４〜６に示される例において、ベルト移動装置５は、第１ベルト移動装置５ａと、第２ベルト移動装置５ｂとを含む。
【００６２】
第１ベルト移動装置５ａは、最下流ベルト転写ローラー４４ｂｂを中心として転写ユニット４４Ｘを回動させることにより、転写ユニット４４Ｘを前記カラー転写状態および前記モノクロ転写状態の一方から他方へ移動させる。
【００６３】
第２ベルト移動装置５ｂは、第１ベルト移動装置５ａによる転写ユニット４４Ｘの支持位置を中心として転写ユニット４４Ｘを回動させることにより、転写ユニット４４Ｘを前記モノクロ転写状態および前記退避状態の一方から他方へ移動させる。
【００６４】
例えば、第１ベルト移動装置５ａおよび第２ベルト移動装置５ｂが、バネとカム機構と前記カム機構を駆動するカム駆動モーターとを含むことが考えられる。前記バネは、転写ユニット４４Ｘを前記カラー転写状態の位置へ向けて付勢する。
【００６５】
前記カム駆動モーターが予め定められた時間作動するごとに、前記カム機構は、前記バネの力に抗して転写ユニット４４Ｘを前記カラー転写状態の位置から前記モノクロ転写状態の位置へ押す動作、または、前記モノクロ転写位置から前記退避状態の位置へ押す動作と、転写ユニット４４Ｘを押す力を解除する動作とを交互に行う。
【００６６】
さらに、画像形成装置１０は、本体１の筐体に形成された換気口１ａを通じて換気する換気ファン１０１を備える。換気口１ａは、画像形成装置１０の本体１の筐体に形成された開口である。換気口１ａは、本体１の内部と外部とに連通する。
【００６７】
制御装置８は、転写モーター４００、定着ヒーター４８ａ、電圧出力装置４０１および換気ファン１０１を含む各種の機器を制御する。制御装置８は、転写モーター４００を動作させつつ、画像形成部４０に前記プリント処理を実行させる。
【００６８】
図２に示されるように、制御装置８は、ＣＰＵ（Central Processing Unit）８０、ＲＡＭ（Random Access Memory）８１、二次記憶装置８２および通信装置８３を備える。なお、ＣＰＵ８０の代わりに、ＤＳＰ（Digital Signal Processor）などの他のプロセッサーが採用されることも考えられる。
【００６９】
ＲＡＭ８１は、コンピューター読み取り可能な揮発性の記憶装置である。ＲＡＭ８１は、ＣＰＵ８０が実行するプログラムおよびＣＰＵ８０が前記プログラムを実行する過程で出力および参照するデータを一次記憶する、ＲＡＭ８１は、二次記憶装置８２よりも高速なデータアクセスが可能な記憶装置である。
【００７０】
二次記憶装置８２は、コンピューター読み取り可能な不揮発性の記憶装置である。例えば、二次記憶装置８２がフラッシュメモリーまたはハードディスクドライブの一方または両方を含むことが考えられる。
【００７１】
ＣＰＵ８０は、前記プログラムを実行することにより、主制御部８ａ、光制御部８ｂ、電圧制御部８ｃ、駆動制御部８ｄおよびヒーター制御部８ｅなどとして動作する。
【００７２】
主制御部８ａは、不図示の表示装置を制御するとともに、不図示の操作装置に対する操作内容に応じた処理を開始させる。さらに、主制御部８ａは、通信装置８３を制御することにより、前記他装置からデータを受信する処理、および、前記他装置へデータを送信する処理を実行する。
【００７３】
光制御部８ｂは、光走査装置４６を制御することにより、感光体４１の表面への前記静電潜像の書き込みを制御する。電圧制御部８ｃは、電圧出力装置４０１を制御することにより、前記現像バイアス電圧、前記ベルト転写バイアス電圧および前記二次バイアス電圧を制御する。
【００７４】
駆動制御部８ｄは、転写モーター４００を含む各種のモーターを制御する。例えば、駆動制御部８ｄは、転写モーター４００を制御することにより、中間転写ベルト４４ａの回転を制御する。
【００７５】
ヒーター制御部８ｅは、定着ヒーター４８ａを制御する。例えば、ヒーター制御部８ｅは、定着装置４８の温度を検出する不図示の温度センサーの検出温度と予め定められた目標温度とを比較するフィードバック制御により、定着ヒーター４８ａへの供給電力を制御する。
【００７６】
ところで、画像形成装置１０において、感光体４１または感光体４１と接触する中間転写ベルト４４ａの表面が結露している状態で前記プリント処理が行われると、出力画像に乱れが生じる。そのため、適切な画像品質を確保するために、画像形成装置１０が起動してから前記プリント処理が開始するまでに、除湿処理を十分に行うことが重要である。前記除湿処理は、感光体４１および中間転写ベルト４４ａを除湿する処理である。
【００７７】
一方、感光体４１または中間転写ベルト４４ａが結露している場合に対応した前記除湿処理が常に行われると、感光体４１および中間転写ベルト４４ａが結露していない場合に、無駄なエネルギーおよび時間が前記除湿処理に費やされてしまう。
【００７８】
画像形成装置１０において、ＣＰＵ８０は、後述する除湿制御を実行する。これにより、画像形成装置１０は、感光体４１および感光体４１に接触する中間転写ベルト４４ａの結露状況に応じて無駄のない前記除湿処理を実行可能である。
【００７９】
［除湿制御］
ＣＰＵ８０の主制御部８ａは、画像形成装置１０が起動したときに、前記プリント処理が実行される前に前記除湿制御を開始する。また、主制御部８ａは、換気ファン１０１が停止している状態で、前記除湿制御を開始する。
【００８０】
画像形成装置１０は、換気口１ａを塞ぐシャッター装置１０２をさらに備える。シャッター装置１０２は、駆動制御部８ｄからの指令に従って、換気口１ａを塞がない開状態および換気口１ａを塞ぐ閉状態の一方から他方へ切り替わる。
【００８１】
また、画像形成装置１０は、画像形成装置１０の本体１の内部で空気を循環させる循環ファン１０３も備える。循環ファン１０３は、駆動制御部８ｄからの指令に従って作動状態および停止状態の一方から他方へ切り替わる。
【００８２】
前記除湿制御において、駆動制御部８ｄは、シャッター装置１０２を前記閉状態へ移行させる。さらに、前記除湿制御において、駆動制御部８ｄは、ベルト移動装置５に対し、転写ユニット４４Ｘを前記退避状態に保持させる指令を出力する（図６参照）。これにより、中間転写ベルト４４ａが４つの感光体４１およびシート転写ローラー４４Ｙから離隔する。
【００８３】
そして、転写ユニット４４Ｘが前記退避状態であり、かつ、中間転写ベルト４４ａが停止しているときに、電圧制御部８ｃが電圧出力装置４０１へ検査電圧出力指令を出力する。図６に示されるように、電圧出力装置４０１は、予め定められた一定の直流電圧である検査電圧Ｖ０を出力する通電回路４０１ａを含む。
【００８４】
電圧出力装置４０１は、前記検査電圧出力指令に従って、最上流ベルト転写ローラー４４ｂａに対し、通電回路４０１ａから検査電圧Ｖ０を供給する。例えば、検査電圧Ｖ０が数百ボルトの電圧であることが考えられる。
【００８５】
本実施形態において、上流補助ローラー４４ｆは、通電回路４０１ａの接地電位と同じ電位で接地されている。即ち、上流補助ローラー４４ｆは、通電回路４０１ａの接地ラインに短絡されている。従って、通電回路４０１ａは、最上流ベルト転写ローラー４４ｂａおよび上流補助ローラー４４ｆに検査電圧Ｖ０をバイアス電圧として供給することになる。
【００８６】
上流補助ローラー４４ｆは、中間転写ベルト４４ａに沿って最上流ベルト転写ローラー４４ｂａの隣に並んで配置されている。
【００８７】
本実施形態において、最上流ベルト転写ローラー４４ｂａおよび上流補助ローラー４４ｆは、中間転写ベルト４４ａの内側面に接触する導電性の一対の電極部材の一例である。即ち、最上流ベルト転写ローラー４４ｂａおよび上流補助ローラー４４ｆの対が、前記一対の電極部材を兼ねる。
【００８８】
また、電圧出力装置４０１は、一定電圧を出力する通電回路４０１ａに流れる電流を検出する検出回路４０１ｂをさらに備える。
【００８９】
主制御部８ａは、ベルト移動装置５によって４つの感光体４１と中間転写ベルト４４ａとが離隔されており、かつ、中間転写ベルト４４ａが停止しているときの検出回路４０１ｂの検出結果を取得する。
【００９０】
本実施形態において、４つの感光体４１、シート転写ローラー４４Ｙおよびベルトクリーニング部材４７ｂは、中間転写ベルト４４ａの外側面に接触する導電性の部材である。以下、これら導電性の部材のことを外側接触部材と称する。
【００９１】
本実施形態において、複数の前記外側接触部材のうち、前記一対の電極部材である最上流ベルト転写ローラー４４ｂａおよび上流補助ローラー４４ｆに最も近い位置に配置されている部材は、最上流感光体４１ａである。
【００９２】
なお、本実施形態において、最上流感光体４１ａは外側最寄り部材の一例である。また、ベルト移動装置５は、複数の前記外側接触部材のうち少なくとも前記外側最寄り部材と中間転写ベルト４４ａとを離隔させる離隔装置の一例である。本実施形態において、ベルト移動装置５は、最上流感光体４１ａを含む全ての感光体４１と中間転写ベルト４４ａとを離隔させる。
【００９３】
仮に、検査電圧Ｖ０が最上流ベルト転写ローラー４４ｂａに印加されているときに、最上流感光体４１ａが中間転写ベルト４４ａに接触していると、電流が中間転写ベルト４４ａの厚み方向に流れるおそれがある。
【００９４】
検査電圧Ｖ０に起因する電流が中間転写ベルト４４ａの厚み方向に流れると、検査電圧Ｖ０の印加が停止された後に、中間転写ベルト４４ａに無視できないレベルの電位が残留するおそれがある。中間転写ベルト４４ａの残留電位は、中間転写ベルト４４ａを介するトナー像の転写に悪影響を及ぼす。
【００９５】
本実施形態においては、検査電圧Ｖ０が最上流ベルト転写ローラー４４ｂａに印加されているときに、最上流感光体４１ａが中間転写ベルト４４ａから離隔している。そのため、中間転写ベルト４４ａの残留電位の問題が生じにくい。
【００９６】
そして、主制御部８ａが検出回路４０１ｂの検出結果を取得した後、ヒーター制御部８ｅが、定着ヒーター４８ａを作動させるとともに、駆動制御部８ｄが、循環ファン１０３および転写モーター４００を作動させる。
【００９７】
循環ファン１０３は、定着ヒーター４８ａによって加熱された空気を本体１の内部で循環させる。また、転写モーター４００が作動することにより、中間転写ベルト４４ａが回転する。
【００９８】
本実施形態において、前記除湿処理は、定着ヒーター４８ａが画像形成装置１０の本体１内の空気を加熱し、循環ファン１０３が本体１内の空気を循環させる処理である。前記除湿処理は、通電回路４０１ａによる検査電圧Ｖ０の出力が停止された状態で行われる。また、前記除湿処理は、画像形成部４０によって前記プリント処理が実行される前に行われる。
【００９９】
また、前記除湿処理が行われているときに、駆動制御部８ｄは、転写モーター４００を含む駆動機構を通じて中間転写ベルト４４ａを回転させる。これにより、中間転写ベルト４４ａがより迅速に除湿される。
【０１００】
また、前記除湿処理は、シャッター装置１０２が換気口１ａを塞いでいる状況下で実行される。シャッター装置１０２は、画像形成装置１０の外部の冷気が本体１内に侵入することを防ぐ。これにより、感光体４１および中間転写ベルト４４ａがより迅速に除湿される。
【０１０１】
本実施形態において、定着ヒーター４８ａおよび循環ファン１０３が、４つの感光体４１および中間転写ベルト４４ａを除湿する除湿装置の一例である。
【０１０２】
中間転写ベルト４４ａが結露している場合、検査電圧Ｖ０が最上流ベルト転写ローラー４４ｂａに印加されたときに、電流が、最上流ベルト転写ローラー４４ｂａから中間転写ベルト４４ａの内側面を通じて上流補助ローラー４４ｆへ流れやすい。
【０１０３】
以下の説明において、検査電圧Ｖ０の印加によって最上流ベルト転写ローラー４４ｂａから中間転写ベルト４４ａの内側面を通じて上流補助ローラー４４ｆへ流れる電流のことを漏洩電流と称する。
【０１０４】
中間転写ベルト４４ａの結露の水分量が多いほど、前記漏洩電流が大きい。即ち、検出回路４０１ｂの検出電流は、中間転写ベルト４４ａの結露の程度を表す。
【０１０５】
そこで、主制御部８ａは、検出回路４０１ｂの検出結果に応じて、前記プリント処理が実行される前における前記除湿装置の動作を制御する。具体的には、主制御部８ａは、検出回路４０１ｂの検出結果に応じて、前記除湿処理の時間を制御する。前記除湿処理の時間は、定着ヒーター４８ａおよび循環ファン１０３の動作時間である。
【０１０６】
即ち、主制御部８ａは、検出回路４０１ｂの検出電流が大きい場合の方が、前記検出電流が小さい場合よりも設定除湿時間を長い時間に設定する。前記設定除湿時間は、前記除湿処理の実行時間の設定値である。
【０１０７】
主制御部８ａは、前記除湿処理が開始されてから前記設定除湿時間が経過したときに、ヒーター制御部８ｅおよび駆動制御部８ｄに前記除湿処理の終了指令を出力する。ヒーター制御部８ｅおよび駆動制御部８ｄは、前記終了指令に従って、定着ヒーター４８ａへの通電を停止させるとともに、循環ファン１０３および転写モーター４００を停止させる。
【０１０８】
本実施形態によれば、中間転写ベルト４４ａの結露の水分量が少ない場合には、主制御部８ａは、前記除湿処理を短時間で終了させ、画像形成部４０による早期の前記プリント処理を許容する。
【０１０９】
一方、中間転写ベルト４４ａの結露の水分量が多い場合には、主制御部８ａは、４つの感光体４１および中間転写ベルト４４ａが十分に除湿されるまで、画像形成部４０による前記プリント処理を禁止する。
【０１１０】
そして、駆動制御部８ｄは、前記除湿処理が終了した後に、シャッター装置１０２を前記開状態へ移行させる。これにより、換気ファン１０１の動作による本体１内の冷却が可能になる。
【０１１１】
［第２実施形態］
次に、図７を参照しつつ、第２実施形態に係る画像形成装置１０Ａについて説明する。図７において、図１〜６に示される構成要素と同じ構成要素は、同じ参照符号が付されている。
【０１１２】
以下、画像形成装置１０Ａにおける画像形成装置１０と異なる点について説明する。画像形成装置１０Ａは、画像形成装置１０と比較して、検査電圧Ｖ０の印加対象が異なる。この点のみが、画像形成装置１０Ａにおける画像形成装置１０との相違点である。
【０１１３】
本実施形態において、電圧出力装置４０１は、前記検査電圧出力指令に従って、最下流ベルト転写ローラー４４ｂｂに対し、通電回路４０１ａから検査電圧Ｖ０を供給する。
【０１１４】
さらに、本実施形態において、下流補助ローラー４４ｅは、通電回路４０１ａの接地電位と同じ電位で接地されている。即ち、下流補助ローラー４４ｅは、通電回路４０１ａの接地ラインに短絡されている。従って、通電回路４０１ａは、最下流ベルト転写ローラー４４ｂｂおよび下流補助ローラー４４ｅに検査電圧Ｖ０をバイアス電圧として供給することになる。
【０１１５】
下流補助ローラー４４ｅは、中間転写ベルト４４ａに沿って最下流ベルト転写ローラー４４ｂｂの隣に並んで配置されている。
【０１１６】
本実施形態において、最下流ベルト転写ローラー４４ｂｂおよび下流補助ローラー４４ｅは、中間転写ベルト４４ａの内側面に接触する導電性の一対の電極部材の一例である。即ち、最下流ベルト転写ローラー４４ｂｂおよび下流補助ローラー４４ｅの対が、前記一対の電極部材を兼ねる。
【０１１７】
電圧制御部８ｃは、ベルト移動装置５によって４つの感光体４１と中間転写ベルト４４ａとが離隔されており、かつ、中間転写ベルト４４ａが停止しているときに、電圧出力装置４０１へ検査電圧出力指令を出力する。これにより、検査電圧Ｖ０が最下流ベルト転写ローラー４４ｂｂに供給される。
【０１１８】
さらに、主制御部８ａは、ベルト移動装置５によって４つの感光体４１と中間転写ベルト４４ａとが離隔されており、かつ、中間転写ベルト４４ａが停止しているときの検出回路４０１ｂの検出結果を取得する。
【０１１９】
本実施形態において、複数の前記外側接触部材のうち、前記一対の電極部材である最下流ベルト転写ローラー４４ｂｂおよび下流補助ローラー４４ｅに最も近い位置に配置されている部材は、最下流感光体４１ｂである。
【０１２０】
なお、本実施形態において、最下流感光体４１ｂは前記外側最寄り部材の一例である。また、ベルト移動装置５は、複数の前記外側接触部材のうち少なくとも前記外側最寄り部材と中間転写ベルト４４ａとを離隔させる離隔装置の一例である。
【０１２１】
本実施形態において、検査電圧Ｖ０が最下流ベルト転写ローラー４４ｂｂに印加されているときに、最下流感光体４１ｂが中間転写ベルト４４ａから離隔している。そのため、中間転写ベルト４４ａの残留電位の問題が生じにくい。
【０１２２】
本実施形態において、主制御部８ａが検出回路４０１ｂの検出結果を取得した後の前記除湿制御の手順は、画像形成装置１０における前記除湿制御の手順と同じである。
【０１２３】
画像形成装置１０Ａが採用される場合も、画像形成装置１０が採用される場合と同様の効果が得られる。
【０１２４】
［第３実施形態］
次に、図８を参照しつつ、第３実施形態に係る画像形成装置１０Ｂについて説明する。図８において、図１〜７に示される構成要素と同じ構成要素は、同じ参照符号が付されている。
【０１２５】
以下、画像形成装置１０Ｂにおける画像形成装置１０と異なる点について説明する。画像形成装置１０Ａは、画像形成装置１０と比較して、検査電圧Ｖ０の印加対象が異なる。この点のみが、画像形成装置１０Ｂにおける画像形成装置１０との相違点である。
【０１２６】
本実施形態において、電圧出力装置４０１は、前記検査電圧出力指令に従って、下流支持ローラー４４ｃに対し、通電回路４０１ａから検査電圧Ｖ０を供給する。
【０１２７】
さらに、本実施形態において、下流補助ローラー４４ｅは、通電回路４０１ａの接地電位と同じ電位で接地されている。即ち、下流補助ローラー４４ｅは、通電回路４０１ａの接地ラインに短絡されている。従って、通電回路４０１ａは、下流支持ローラー４４ｃおよび下流補助ローラー４４ｅに検査電圧Ｖ０をバイアス電圧として供給することになる。
【０１２８】
下流補助ローラー４４ｅは、中間転写ベルト４４ａに沿って下流支持ローラー４４ｃの隣に並んで配置されている。
【０１２９】
本実施形態において、下流支持ローラー４４ｃおよび下流補助ローラー４４ｅは、中間転写ベルト４４ａの内側面に接触する導電性の一対の電極部材の一例である。即ち、下流支持ローラー４４ｃおよび下流補助ローラー４４ｅの対が、前記一対の電極部材を兼ねる。
【０１３０】
電圧制御部８ｃは、ベルト移動装置５によってシート転写ローラー４４Ｙおよび４つの感光体４１と中間転写ベルト４４ａとが離隔されており、かつ、中間転写ベルト４４ａが停止しているときに、電圧出力装置４０１へ検査電圧出力指令を出力する。これにより、検査電圧Ｖ０が下流支持ローラー４４ｃに供給される。
【０１３１】
さらに、主制御部８ａは、ベルト移動装置５によってシート転写ローラー４４Ｙおよび４つの感光体４１と中間転写ベルト４４ａとが離隔されており、かつ、中間転写ベルト４４ａが停止しているときの検出回路４０１ｂの検出結果を取得する。
【０１３２】
本実施形態において、複数の前記外側接触部材のうち、前記一対の電極部材である下流支持ローラー４４ｃおよび下流補助ローラー４４ｅに最も近い位置に配置されている部材は、シート転写ローラー４４Ｙである。
【０１３３】
なお、本実施形態において、シート転写ローラー４４Ｙは前記外側最寄り部材の一例である。また、ベルト移動装置５は、複数の前記外側接触部材のうち少なくとも前記外側最寄り部材と中間転写ベルト４４ａとを離隔させる離隔装置の一例である。
【０１３４】
本実施形態において、検査電圧Ｖ０が下流支持ローラー４４ｃに印加されているときに、シート転写ローラー４４Ｙが中間転写ベルト４４ａから離隔している。そのため、中間転写ベルト４４ａの残留電位の問題が生じにくい。
【０１３５】
本実施形態において、主制御部８ａが検出回路４０１ｂの検出結果を取得した後の前記除湿制御の手順は、画像形成装置１０における前記除湿制御の手順と同じである。
【０１３６】
画像形成装置１０Ｂが採用される場合も、画像形成装置１０が採用される場合と同様の効果が得られる。
【０１３７】
［第４実施形態］
次に、図９を参照しつつ、第４実施形態に係る画像形成装置１０Ｃについて説明する。図９において、図１〜７に示される構成要素と同じ構成要素は、同じ参照符号が付されている。
【０１３８】
以下、画像形成装置１０Ｃにおける画像形成装置１０と異なる点について説明する。画像形成装置１０Ｃは、画像形成装置１０と比較して、検査電圧Ｖ０の印加対象が異なる。さらに、画像形成装置１０Ｃは、ベルトクリーニング部材移動装置６を備える。これら２点のみが、画像形成装置１０Ｃにおける画像形成装置１０との相違点である。
【０１３９】
本実施形態において、電圧出力装置４０１は、前記検査電圧出力指令に従って、上流支持ローラー４４ｄに対し、通電回路４０１ａから検査電圧Ｖ０を供給する。
【０１４０】
さらに、本実施形態において、上流補助ローラー４４ｆは、通電回路４０１ａの接地電位と同じ電位で接地されている。即ち、上流補助ローラー４４ｆは、通電回路４０１ａの接地ラインに短絡されている。従って、通電回路４０１ａは、上流支持ローラー４４ｄおよび上流補助ローラー４４ｆに検査電圧Ｖ０をバイアス電圧として供給することになる。
【０１４１】
上流補助ローラー４４ｆは、中間転写ベルト４４ａに沿って上流支持ローラー４４ｄの隣に並んで配置されている。
【０１４２】
本実施形態において、上流支持ローラー４４ｄおよび上流補助ローラー４４ｆは、中間転写ベルト４４ａの内側面に接触する導電性の一対の電極部材の一例である。即ち、上流支持ローラー４４ｄおよび上流補助ローラー４４ｆの対が、前記一対の電極部材を兼ねる。
【０１４３】
ベルトクリーニング部材移動装置６は、ベルトクリーニング装置４７を移動させることにより、ベルトクリーニング部材４７ｂと中間転写ベルト４４ａとを離間させる装置である。
【０１４４】
例えば、ベルトクリーニング部材移動装置６は、第１ベルト移動装置５ａと同様に、バネとカム機構と前記カム機構を駆動するカム駆動モーターとを含むことが考えられる。
【０１４５】
本実施形態において、複数の前記外側接触部材のうち、前記一対の電極部材である上流支持ローラー４４ｄおよび上流補助ローラー４４ｆに最も近い位置に配置されている部材は、ベルトクリーニング部材４７ｂである。
【０１４６】
なお、本実施形態において、ベルトクリーニング部材４７ｂは前記外側最寄り部材の一例である。また、ベルトクリーニング部材移動装置６は、複数の前記外側接触部材のうち少なくとも前記外側最寄り部材と中間転写ベルト４４ａとを離隔させる離隔装置の一例である。
【０１４７】
電圧制御部８ｃは、ベルトクリーニング部材移動装置６によってベルトクリーニング部材４７ｂと中間転写ベルト４４ａとが離隔されており、かつ、ベルト移動装置５によって４つの感光体４１と中間転写ベルト４４ａとが離隔されており、かつ、中間転写ベルト４４ａが停止しているときに、電圧出力装置４０１へ検査電圧出力指令を出力する。これにより、検査電圧Ｖ０が上流支持ローラー４４ｄに供給される。
【０１４８】
さらに、主制御部８ａは、ベルトクリーニング部材移動装置６によってベルトクリーニング部材４７ｂと中間転写ベルト４４ａとが離隔されており、かつ、ベルト移動装置５によって４つの感光体４１と中間転写ベルト４４ａとが離隔されており、かつ、中間転写ベルト４４ａが停止しているときの検出回路４０１ｂの検出結果を取得する。
【０１４９】
本実施形態において、検査電圧Ｖ０が下流支持ローラー４４ｃに印加されているときに、ベルトクリーニング部材４７ｂが中間転写ベルト４４ａから離隔している。そのため、中間転写ベルト４４ａの残留電位の問題が生じにくい。
【０１５０】
本実施形態において、主制御部８ａが検出回路４０１ｂの検出結果を取得した後の前記除湿制御の手順は、画像形成装置１０における前記除湿制御の手順と同じである。
【０１５１】
画像形成装置１０Ｃが採用される場合も、画像形成装置１０が採用される場合と同様の効果が得られる。
【０１５２】
［第５実施形態］
次に、図１０を参照しつつ、第５実施形態に係る画像形成装置１０Ｄについて説明する。図１０において、図１〜７に示される構成要素と同じ構成要素は、同じ参照符号が付されている。
【０１５３】
以下、画像形成装置１０Ｄにおける画像形成装置１０と異なる点について説明する。画像形成装置１０Ｄは、画像形成装置１０と比較して、検査電圧Ｖ０の印加対象が異なる。さらに、画像形成装置１０Ｄは、鉄などの金属を主材料とする電極ローラー４４ｈを備える。これら２点のみが、画像形成装置１０Ｄにおける画像形成装置１０との相違点である。
【０１５４】
本実施形態において、電圧出力装置４０１は、前記検査電圧出力指令に従って、通電回路４０１ａからトナー回収部材４７ｃを通じてベルトクリーニング部材４７ｂに検査電圧Ｖ０を供給する。トナー回収部材４７ｃおよびベルトクリーニング部材４７ｂは導電性の部材である。
【０１５５】
電極ローラー４４ｈは、中間転写ベルト４４ａに沿ってベルトクリーニング部材４７ｂの隣に並んで配置されている。電極ローラー４４ｈは、中間転写ベルト４４ａの外側面に接触する状態で回転可能に支持されている。
【０１５６】
図１０に示される例では、ベルトクリーニング部材４７ｂおよび電極ローラー４４ｈは、中間転写ベルト４４ａを介して上流支持ローラー４４ｄに対して異なる方向から対向している。
【０１５７】
電極ローラー４４ｈは、通電回路４０１ａの接地電位と同じ電位で接地されている。即ち、電極ローラー４４ｈは、通電回路４０１ａの接地ラインに短絡されている。従って、通電回路４０１ａは、上流支持ローラー４４ｄおよび電極ローラー４４ｈに検査電圧Ｖ０をバイアス電圧として供給することになる。
【０１５８】
本実施形態において、上流支持ローラー４４ｄおよび電極ローラー４４ｈが、中間転写ベルト４４ａの外側面に接触する導電性の一対の電極部材の一例である。即ち、上流支持ローラー４４ｄは、前記一対の電極部材の一方を兼ねる。
【０１５９】
電圧制御部８ｃは、ベルト移動装置５によって４つの感光体４１と中間転写ベルト４４ａとが離隔されており、かつ、中間転写ベルト４４ａが停止しているときに、電圧出力装置４０１へ検査電圧出力指令を出力する。これにより、検査電圧Ｖ０がトナー回収部材４７ｃを通じてベルトクリーニング部材４７ｂに供給される。
【０１６０】
さらに、主制御部８ａは、ベルト移動装置５によって４つの感光体４１と中間転写ベルト４４ａとが離隔されており、かつ、中間転写ベルト４４ａが停止しているときの検出回路４０１ｂの検出結果を取得する。
【０１６１】
本実施形態において、主制御部８ａが検出回路４０１ｂの検出結果を取得した後の前記除湿制御の手順は、画像形成装置１０における前記除湿制御の手順と同じである。
【０１６２】
画像形成装置１０Ｄが採用される場合も、画像形成装置１０が採用される場合と同様に、中間転写ベルト４４ａの結露状況に応じて無駄のない前記除湿処理が実行される。
【０１６３】
[第１応用例]
以下、画像形成装置１０，１０Ａ，１０Ｂ，１０Ｃ，１０Ｄの第１応用例について説明する。本応用例において、通電回路４０１ａは、前記一対の電極部材に一定の直流電流を供給する回路である。
【０１６４】
さらに、本応用例において、検出回路４０１ｂは、一定電流を出力する通電回路４０１ａに生じる電圧を検出する回路である。
【０１６５】
本応用例において、主制御部８ａは、検出回路４０１ｂの検出電圧が大きい場合の方が、前記検出電圧が小さい場合よりも前記設定除湿時間を長い時間に設定する。本応用例が採用される場合も、画像形成装置１０，１０Ａ，１０Ｂ，１０Ｃ，１０Ｄが採用される場合と同様の効果が得られる。
【０１６６】
[第２応用例]
以下、画像形成装置１０，１０Ａ，１０Ｂ，１０Ｃ，１０Ｄの第２応用例について説明する。本応用例において、前記除湿装置が、定着ヒーター４８ａ以外の除湿用ヒーターを備える。
【０１６７】
例えば、前記除湿用ヒーターが、中間転写ベルト４４ａの内側に配置される。これにより、中間転写ベルト４４ａを効率的に除湿することができる。
【０１６８】
[その他の応用例]
画像形成装置１０，１０Ａ，１０Ｂ，１０Ｃ，１０Ｄにおける前記除湿装置および前記除湿制御が、作像装置４を１つだけ備えるモノクロタイプの画像形成装置に適用されてもよい。
【符号の説明】
【０１６９】
１        ：本体
１ａ      ：換気口
２        ：シート供給機構
３        ：シート搬送機構
４        ：作像装置
５        ：ベルト移動装置
５ａ      ：第１ベルト移動装置
５ｂ      ：第２ベルト移動装置
６        ：ベルトクリーニング部材移動装置
８        ：制御装置
８ａ      ：主制御部
８ｂ      ：光制御部
８ｃ      ：電圧制御部
８ｄ      ：駆動制御部
８ｅ      ：ヒーター制御部
１０      ：画像形成装置
１０Ａ    ：画像形成装置
１０Ｂ    ：画像形成装置
１０Ｃ    ：画像形成装置
１０Ｄ    ：画像形成装置
３０      ：搬送路
４０      ：画像形成部
４１      ：感光体
４１ａ    ：最上流感光体
４１ｂ    ：最下流感光体
４２      ：帯電装置
４３      ：現像装置
４４      ：転写装置
４４Ｘ    ：転写ユニット
４４Ｙ    ：シート転写ローラー
４４ａ    ：中間転写ベルト
４４ｂ    ：ベルト転写ローラー
４４ｂａ  ：最上流ベルト転写ローラー
４４ｂｂ  ：最下流ベルト転写ローラー
４４ｃ    ：下流支持ローラー
４４ｄ    ：上流支持ローラー
４４ｅ    ：下流補助ローラー
４４ｆ    ：上流補助ローラー
４４ｇ    ：転写フレーム
４４ｈ    ：電極ローラー
４５      ：感光体クリーニング装置
４６      ：光走査装置
４７      ：ベルトクリーニング装置
４７ａ    ：ケーシング
４７ｂ    ：ベルトクリーニング部材
４７ｃ    ：トナー回収部材
４７ｄ    ：クリーニングブレード
４８      ：定着装置
４８ａ    ：定着ヒーター
８０      ：ＣＰＵ
８１      ：ＲＡＭ
８２      ：二次記憶装置
８３      ：通信装置
１０１    ：換気ファン
１０２    ：シャッター装置
１０３    ：循環ファン
４００    ：転写モーター
４０１    ：電圧出力装置
４０１ａ  ：通電回路
４０１ｂ  ：検出回路
Ｄ０      ：主方向
Ｄ１      ：第１方向
Ｄ２      ：第２方向
Ｄ３      ：鉛直方向
Ｖ０      ：検査電圧
【図１】
2019184837.tif 000003
【図２】
2019184837.tif 000004
【図３】
2019184837.tif 000005
【図４】
2019184837.tif 000006
【図５】
2019184837.tif 000007
【図６】
2019184837.tif 000008
【図７】
2019184837.tif 000009
【図８】
2019184837.tif 000010
【図９】
2019184837.tif 000011
【図１０】
2019184837.tif 000012